(57)【要約】【課題】光学フィルタにのみ頼るのではなく、プラズマディスプレイパネルの内部構成で、外光の反射の低減やハレーションの対応を行う。【解決手段】プラズマディスプレイパネルの前面ガラス基板上に構成されるサステイン電極１４及びバス電極１５の構成に着目する。サステイン電極１４上に酸化クロム等からなる酸化クロム層３４を形成し、その上からサステイン電極１４に対向するようにバス電極１５を形成する。この酸化クロム層３４により、外光の反射を防ぐと同時に、プラズマ発光の内部反射によるハレーションの低減を図り、プラズマディスプレイパネルの表示面のコントラスト向上に資する。【選択図】図５
2009277568.tif 000002
【特許請求の範囲】
【請求項１】
前面ガラス基板と、背面ガラス基板を含み、前記前面ガラス基板と前記背面ガラス基板の間に発光体を密封する放電空間を構成するプラズマディスプレイパネルであって、
前記前面ガラス基板の前記放電空間に向かう面上にＸ電極用サステイン電極及びＹ電極用サステイン電極が形成され、
前記前面ガラス基板、前記Ｘ電極用サステイン電極及び前記Ｙ電極用サステイン電極のいずれも覆い隠すように酸化金属層が形成され、
前記Ｘ電極用サステイン電極と容量結合するＸ電極用バス電極及び前記Ｙ電極用サステイン電極と容量結合するＹ電極用バス電極が構成されることを特徴とするプラズマディスプレイパネル。
【請求項２】
請求項１に記載のプラズマディスプレイパネルにおいて、前記酸化金属層を構成する酸化金属が酸化クロムであることを特徴とするプラズマディスプレイパネル。
【請求項３】
請求項１に記載のプラズマディスプレイパネルにおいて、前記Ｘ電極用バス電極及び前記Ｙ電極用バス電極が下部クロム層、銅層、上部クロム層の３層を積層して形成されることを特徴とするプラズマディスプレイパネル。
【請求項４】
請求項１に記載のプラズマディスプレイパネルにおいて、前記Ｘ電極用バス電極及び前記Ｙ電極用バス電極が銅層、上部クロム層の２層を積層して形成されることを特徴とするプラズマディスプレイパネル。
【請求項５】
請求項１に記載のプラズマディスプレイパネルにおいて、前記酸化金属層の厚みが５０ｎｍないし１５０ｎｍであることを特徴とするプラズマディスプレイパネル。
【発明の詳細な説明】
【技術分野】
【０００１】
本発明は、前面ガラス基板上に電極を施された平面表示部材、特にプラズマディスプレイパネルの外光の反射抑止手段に関する。
【背景技術】
【０００２】
プラズマディスプレイ装置は、ブラウン管を用いたディスプレイ装置に代わって家庭用または業務用に用いられる大画面表示装置の一つである。
【０００３】
プラズマディスプレイ装置は前面ガラス基板上に設けられた表示電極対を用い、背面基板上に設けられた蛍光体を発光させることで、前面ガラス基板を表示面として表示する平面表示装置である。
【０００４】
前面ガラス基板を透過して発光することは、逆に外部の光源から照射される光（外光）もプラズマディスプレイパネル内部に通すことを意味する。この外光の進入を、前面ガラス基板に構成された電極が反射し、色ムラの発生やコントラストが低下するといった問題が生じる。特にバス電極は金属色であることが多くて反射率も大きかった。
【０００５】
従来、これらの問題に対しては、プラズマディスプレイパネルの前面に光学フィルタを挿入し、反射を防ぐことが一般的であった。
【発明の開示】
【発明が解決しようとする課題】
【０００６】
しかし、プラズマディスプレイパネルは内部でプラズマ放電を行う。従って、プラズマディスプレイパネルの表示面前面に光学フィルタを挿入すると内部反射が原因でハレーションが起きることも考えられた。
【０００７】
また、光学フィルタはその効果がある光の波長などの制限がある場合も多い。
【０００８】
本発明の目的は、光学フィルタにのみ頼るのではなく、プラズマディスプレイパネルの内部構成で、外光の反射の低減やハレーションの対応を行うことにある。
【０００９】
本発明の前記並びにその他の目的と新規な特徴は、本明細書の記述及び添付図面から明らかになるであろう。
【課題を解決するための手段】
【００１０】
本願において開示される発明のうち、代表的なものの概要を簡単に説明すれば、次の通りである。
【００１１】
本発明の代表的な実施の形態に関わるプラズマディスプレイパネルは、前面ガラス基板と、背面ガラス基板を含み、前面ガラス基板と背面ガラス基板の間に発光体を密封する放電空間を構成し、前面ガラス基板の前記放電空間に向かう面上にＸ電極用サステイン電極及びＹ電極用サステイン電極が形成され、前面ガラス基板、Ｘ電極用サステイン電極及びＹ電極用サステイン電極のいずれも覆い隠すように酸化金属層が形成され、Ｘ電極用サステイン電極と容量結合するＸ電極用バス電極及びＹ電極用サステイン電極と容量結合するＹ電極用バス電極が構成されることを特徴とする。
【００１２】
また、このプラズマディスプレイパネルは前記酸化金属層を構成する酸化金属が酸化クロムであることを特徴としても良い。
【００１３】
また、このプラズマディスプレイパネルは前記Ｘ電極用バス電極及び前記Ｙ電極用バス電極が下部クロム層、銅層、上部クロム層の３層を積層して形成されることを特徴としても良く、銅層、上部クロム層の２層を積層して形成されることを特徴としても良い。
【００１４】
このプラズマディスプレイパネルは前記酸化金属層の厚みが５０ｎｍないし１５０ｎｍであることを特徴としても良い。
【発明の効果】
【００１５】
本願において開示される発明のうち、代表的なものによって得られる効果を簡単に説明すれば以下の通りである。
【００１６】
本発明の代表的な実施の形態に関わるプラズマディスプレイパネル及びそれを利用したプラズマディスプレイ装置では、外光の反射及び内部のプラズマ発光を遠因とするハレーションの発生を抑えることが可能となる。これに伴い、表示画面のコントラストの向上が図れ、操作者への上質な画像の提供が可能となる。
【発明を実施するための最良の形態】
【００１７】
（第１の実施の形態）
図１はプラズマディスプレイ装置（平面表示装置）に用いられるプラズマディスプレイパネル（平面表示部材）１００の構成を示す分解斜視図である。
【００１８】
プラズマディスプレイパネル１００は、前面ガラス基板１を中心とする前面ガラス基板側モジュール１０と背面ガラス基板２１を構成する背面ガラス基板側モジュール２０に挟まれる形で構成される。
【００１９】
この前面ガラス基板側モジュール１０は、前面ガラス基板１、誘電体層２、保護膜層３、Ｘ電極５、Ｙ電極６を含んで構成される。一方、背面ガラス基板側モジュール２０は背面ガラス基板２１、下地層２２、リブ２３、赤色蛍光体２４、緑色蛍光体２５、青色蛍光体２６、アドレス電極２７より構成される。
【００２０】
前面ガラス基板１は、背面ガラス基板２１との間で、プラズマディスプレイパネル１００の構成要素を密封するために用いるガラス基板である。
【００２１】
誘電体層２は、前面ガラス基板１上にコーティングされる透明な誘電体の層である。Ｘ電極５及びＹ電極６構成後に低融点ガラス層を２０ミクロンの厚みで形成することで構成する。
【００２２】
保護膜層３は、放電現象で誘電体層２が傷つけられることを防ぐための絶縁保護膜である。真空蒸着法により保護膜材料（酸化マグネシウムや酸化スカンジウム、酸化カルシウム、酸化バリウムなど）の層を１ミクロン形成することで作成される。
【００２３】
Ｘ電極５及びＹ電極６は、背面ガラス基板２１上に設けられたアドレス電極２７による予備放電後に、Ｘ電極５及びＹ電極６間で電圧を印加することにより、前面ガラス基板１及び背面ガラス基板２１の間に封入されたキセノン等の希ガスをプラズマ放電させるための透明な電極である。これらの各電極は、サステイン電極（透明電極）１４及びバス電極１５から構成される。プラズマによって発生した放電は、蛍光体（赤色蛍光体２４、緑色蛍光体２５、青色蛍光体２６のいずれか）を励起・発光させる。
【００２４】
背面ガラス基板２１は、前面ガラス基板１との間にプラズマディスプレイパネル１００の構成要素を密封するために用いるガラス基板である。
【００２５】
下地層２２は、リブ２３の構成などにおいてアドレス電極２７を保護するための誘電体層である。
【００２６】
リブ２３は、プラズマ放電をセル単位に独立にさせるための隔壁である。これと前面ガラス基板側モジュール１０、背面ガラス基板２１によって仕切られた空間（放電空間）に放電ガスを充填させる。
【００２７】
赤色蛍光体２４は、Ｘ電極５及びＹ電極６及びアドレス電極２７への電圧印加により生じたプラズマによって励起し、赤色に発光する蛍光体である。主にイットリウム系の化合物が用いられる。
【００２８】
緑色蛍光体２５は、プラズマによる紫外線励起で緑色に発光する蛍光体である。緑色蛍光体２５として緑色珪酸塩系の蛍光体が用いられる。
【００２９】
青色蛍光体２６は、プラズマによる紫外線励起で青色に発光する蛍光体である。青色蛍光体２６として青色アルミン酸塩系の蛍光体が用いられる。
【００３０】
アドレス電極２７はプラズマ放電のための予備放電を行う電極である。
【００３１】
これらの前面ガラス基板側モジュール１０及び背面ガラス基板側モジュール２０を組み合わせ、周辺を低融点ガラスでシールする。シール後、パネル内部を真空に排気し、昇温脱ガス処理する。その後パネル内部に放電ガス（キセノン１０％＋ネオン９０％）を封入してプラズマディスプレイパネル１００は生産される。
【００３２】
従来のサステイン電極１４及びバス電極１５の構成を図２及び図３に示す。図２は従来の前面ガラス基板側モジュール１０（前面ガラス基板１上にサステイン電極１４及びバス電極１５形成後）を背後から見た図であり、図３はこの前面ガラス基板側モジュール１０のＡ−Ａ´断面（図２参照）における断面図である。
【００３３】
前面ガラス基板１上には、ＩＴＯ（Ｉｎｄｉｕｍ  Ｔｉｎ  Ｏｘｉｄｅ：酸化インジウム錫）を素材としてサステイン電極１４が蒸着等により構成される。その後下部クロム層３１、銅層３２、上部クロム層３３が形成される。
【００３４】
このような従来の構成では、前面ガラス基板１を透過した外光は、下部クロム層３１で反射する。この反射光により、パネルのムラやコントラストの低下と言った問題が生じる。
【００３５】
図４及び図５は、本実施の形態における上記の問題を解決した前面ガラス基板側モジュールである。図４は前面ガラス基板側モジュール４０（前面ガラス基板１上にサステイン電極１４及びバス電極１５形成後）を背後から見た図であり、図５はこの前面ガラス基板側モジュール４０のＢ−Ｂ´断面（図５参照）における断面図である。
【００３６】
本実施の形態においては前面ガラス基板側モジュール４０を以下のように構成する。
【００３７】
まず前面ガラス基板１上に、ＩＴＯによるサステイン電極１４を構成する。ここまでは、従来の構成方法と同じである。
【００３８】
次に、サステイン電極１４を構成した後、前面ガラス基板１及び前面ガラス基板１上に構成されたサステイン電極１４を覆い隠す形で、酸化クロム層（酸化金属層）３４を形成する。なお、この酸化クロム層３４の膜厚は対象とする光の波長λの４分の１波長（λ／４）分の厚さで構成すると、対象とする光の波長の反射率の低減が可能となる。具体的には、酸化クロム層３４を構成する酸化クロムの屈折率を２．５とすると膜厚５５ｎｍ程度の酸化クロムを成膜することで低減できる。
【００３９】
なお、酸化クロムの代わりに、酸窒化クロムを用いてこの酸化クロム層３４を形成しても良い。
【００４０】
酸化クロム層３４の形成後、酸化クロム層３４の上に、下部クロム層３１、銅層３２、上部クロム層３３を形成する。なお、酸化クロム層３４は絶縁体であるが、バス電極１５に交流信号が流れているためサステイン電極１４と下部クロム層３１とは容量結合で電気的に接続されている状態となる。
【００４１】
図６は図２及び図３で表される従来のプラズマディスプレイパネルと図４及び図５で表される本発明のプラズマディスプレイパネルの反射率の対比を表すグラフである。
【００４２】
これを見ても明らかなように、最大６０％の反射率であった従来のプラズマディスプレイパネルが酸化クロム層３４によって可視光域で最大２０％弱となる。
【００４３】
以上のように、酸化クロム層を挿入することでパネル全体の反射率を低減し、プラズマディスプレイパネルの表示面のムラの低減、コントラストの向上に資することが可能となる。
【００４４】
（第２の実施の形態）
次に第２の実施の形態について、図を用いて説明する。
【００４５】
図７及び図８は、本実施の形態における前面ガラス基板側モジュール５０を表す図である。図７は前面ガラス基板側モジュール５０（前面ガラス基板１上にサステイン電極１４及びバス電極１５形成後）を背後から見た図であり、図８はこの前面ガラス基板側モジュール５０のＣ−Ｃ´断面（図７参照）における断面図である。
【００４６】
第１の実施の形態では、バス電極１５を下部クロム層３１、銅層３２、上部クロム層３３の３層で構成していた。しかし、このような構成を取ると、層数に比例してバス電極１５形成に工数が生じる。
【００４７】
この目的達成のために、酸化クロム層３４の膜厚は１２０ｎｍ程度が最適となる。これは、下部クロム層３１を構成するクロムと銅層３２を構成する銅の反射率の違いから生じるものである。
【００４８】
図９はこの酸化クロム層３４の膜厚が１２０ｎｍのときの反射率を表すグラフである。この場合視界反射率の高い５５０ｎｍ付近で反射率が５％近くで底を打つことがうかがえる。
【００４９】
以上により、下部クロム層３１を省略し、銅層３２、上部クロム層３３の２層で構成すること、及び５５０ｎｍ以上については前面フィルタで対応することで、製造工程（スパッタ工程）を省略しつつ、第１の実施の形態同様の効果を図ることが可能となる。
【００５０】
（上記実施形態での他の効果）
次に第1及び第２の実施の形態の効果について、図を用いて説明する。
【００５１】
一般的に、プラズマディスプレイ装置の表示面側には、前面フィルタを挿入することで写りこみの防止等を図ることが一般的である。これは上記第１及び第２の実施の形態のプラズマディスプレイを使うときでも同様である。
【００５２】
しかし前面フィルタを設置すると、放電空間での発光が前面フィルタで一部反射される。これがさらに赤色蛍光体２４、緑色蛍光体２５、青色蛍光体２６（以下蛍光体と総称）によって反射され、これが前面フィルタから透過しハレーションが生じることも考えられる。
【００５３】
上記各実施の形態について、このハレーションの低減について説明する。
【００５４】
図１０は、この想定するプラズマディスプレイ装置の断面図である。
【００５５】
前面フィルタ６０は前面からの光の反射の低減などを目的としてプラズマディスプレイ装置内に設置される光学フィルタである。
【００５６】
他は前面ガラス基板１、酸化クロム層３４を含む前面ガラス基板側モジュール１０、背面ガラス基板側モジュール２０から構成される。
【００５７】
ここで、前面フィルタ６０の透過率をτｆ、内面反射率をＲｆとして表記する。またプラズマ発光の輝度をＬｓｐａｒｋと定義する。同様に、前面ガラス基板モジュール１０の透過率をτｇ、酸化クロム層３４の透過率をτｃｒ、反射率をＲｇ、蛍光体の反射率をＲｐｈと定義する。
【００５８】
従来のプラズマディスプレイ装置の前面フィルタの透過率τｆ´が３２％であるなら、酸化クロム層３４の透過率τｃｒは
τｆ´×τｃｒ´＝τｆ×τｃｒ
が成立すれば従来のプラズマディスプレイ装置と発光輝度及びコントラストが同じになる。従来のプラズマディスプレイ装置には酸化クロム層３４が存在していないので１００％（１．０）と考えると、
τｆ＝（３２％×１００％）／５０％＝６４％
となる。すなわち、従来のプラズマディスプレイ装置の前面フィルタの倍の透過率を確保する。
【００５９】
この条件での従来のプラズマディスプレイ装置と本発明の各実施の形態のプラズマディスプレイ装置とのハレーション輝度の対比を行う。
【００６０】
プラズマディスプレイ装置の表示面には、１）プラズマ放電の発光、２）前面フィルタ６０反射光の酸化クロム層３４における反射（ゴースト１）、３）前面フィルタ６０反射光の蛍光体による反射（ゴースト２）、が出力される。
【００６１】
ここで放電区間から直接出力されるプラズマ発光の輝度Ｌ０は
Ｌ０＝Ｌｓｐａｒｋ×τｃｒ×τｇ×τｆ
として表される。
【００６２】
また、ゴースト１の輝度Ｌ１は
Ｌ１＝Ｌｓｐａｒｋ×τｃｒ×τｇ×Ｒｆ×Ｒｇ×τｆ
として近似される。
【００６３】
同様に、ゴースト２の輝度Ｌ２は
Ｌ２＝Ｌｓｐａｒｋ×τｃｒ×τｇ×Ｒｆ×τｇ×τｃｒ×Ｒｐｈ×τｃｒ×τｇ×τｆ
として近似される。
【００６４】
前面フィルタの内面反射率Ｒｆは４％、前面ガラス基板モジュール１０の反射率Ｒｇは酸化クロム層３４が形成されていない従来のものが８％、本発明の第１の実施の形態に関わるものが２５％、蛍光体の反射率Ｒｐｈが８０％である。便宜上Ｌｓｐａｒｋを１００とすると、従来のプラズマディスプレイ装置では、τｆ´＝３２％とすると、
Ｌ０´＝２８．１６
Ｌ１´＝０．０９
Ｌ２´＝０．７０
ゴーストの輝度合算
Ｌ１´＋Ｌ２´＝０．７９
各ゴーストと発光輝度の比
Ｌ１´／Ｌ０´＝０．３２
Ｌ２´／Ｌ０´＝２．４８
（Ｌ１´＋Ｌ２´）／Ｌ０´＝２．８０
となる。一方本発明におけるプラズマディスプレイパネルでは、τｆ＝６４％とすると、
Ｌ０＝２８．１６
Ｌ１＝０．２８
Ｌ２＝０．１７
ゴーストの輝度合算  Ｌ１＋Ｌ２＝０．４６
各ゴーストと発光輝度の比
Ｌ１／Ｌ０＝１．００
Ｌ２／Ｌ０＝０．６２
（Ｌ１´＋Ｌ２´）／Ｌ０´＝１．６２
となる。
【００６５】
すなわちゴーストの輝度が従来の５７％となる。本発明の各実施の形態の採用により、画面のフォーカス性が向上するところが見て取れる。
【００６６】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【００６７】
上記ではプラズマディスプレイパネル及びそれを利用したプラズマディスプレイ装置について説明したが必ずしもこれに限定されるものではない。プラズマディスプレイパネルと同一の駆動原理をもつＰＴＡ（プラズマチューブアレイ）などにも適用可能である。
【図面の簡単な説明】
【００６８】
【図１】プラズマディスプレイ装置に用いられるプラズマディスプレイパネルの構成を示す分解斜視図である。
【図２】従来のプラズマディスプレイパネルのＸ電極及びＹ電極の構造を表す模式図である。
【図３】従来のプラズマディスプレイパネルのＸ電極及びＹ電極の構造を表すＡ−Ａ´断面における断面図である。
【図４】本発明の第１の実施の形態にかかわるプラズマディスプレイパネルのＸ電極及びＹ電極の構造を表す模式図である。
【図５】本発明の第１の実施の形態にかかわるプラズマディスプレイパネルのＸ電極及びＹ電極の構造を表すＢ−Ｂ´断面における断面図である。
【図６】本発明の第１の実施の形態にかかわるプラズマディスプレイパネルの入射される光の波長とその反射率を表すグラフである。
【図７】本発明の第２の実施の形態にかかわるプラズマディスプレイパネルのＸ電極及びＹ電極の構造を表す模式図である。
【図８】本発明の第２の実施の形態にかかわるプラズマディスプレイパネルのＸ電極及びＹ電極の構造を表すＣ−Ｃ´断面における断面図である。
【図９】本発明の第２の実施の形態にかかわるプラズマディスプレイパネルであって、酸化クロム層の膜厚が１２０ｎｍのときの反射率を表すグラフである。
【図１０】本発明に関わるプラズマディスプレイパネルを使用したプラズマディスプレイ装置の断面図である。
【符号の説明】
【００６９】
１…前面ガラス基板、２…誘電体層、３…保護膜層、
５…Ｘ電極、６…Ｙ電極、１０、４０、５０…前面ガラス基板側モジュール、
１４…サステイン電極（透明電極）、１５…バス電極、
２０…背面ガラス基板側モジュール、２１…背面ガラス基板、２２…下地層、
２３…リブ、２４…赤色蛍光体、２５…緑色蛍光体、２６…青色蛍光体、
２７…アドレス電極、３１…下部クロム層、３２…銅層、３３…上部クロム層、
３４…酸化クロム層、６０…前面フィルタ、１００…プラズマディスプレイパネル。
【図１】
2009277568.tif 000003
【図２】
2009277568.tif 000004
【図３】
2009277568.tif 000005
【図４】
2009277568.tif 000006
【図５】
2009277568.tif 000007
【図６】
2009277568.tif 000008
【図７】
2009277568.tif 000009
【図８】
2009277568.tif 000010
【図９】
2009277568.tif 000011
【図１０】
2009277568.tif 000012